(57)【特許請求の範囲】
【請求項１】
３Ｄメガネの特定電源の供給を制限するステップと、
ディスプレイ装置とのペアリングを行うステップと、
前記ペアリングが行われていると判断されると、前記供給制限を解除するステップと
を含み、
前記特定電源は、
前記３Ｄメガネの加速度センサ及びタッチセンサのうち、少なくともいずれか一方に対する電源を含む、
３Ｄメガネの電源及びペアリング制御方法。
【請求項２】
前記ペアリングを行うステップは、
ユーザのキー入力を検知するステップと、
前記検知に応じて前記ディスプレイ装置とのペアリングを行うステップと
を含むことを特徴とする請求項１に記載の３Ｄメガネの電源及びペアリング制御方法。
【請求項３】
前記キー入力は、
電源キー入力及びペアリングキー入力のうち、少なくともいずれか一方を含むことを特徴とする請求項２に記載の３Ｄメガネの電源及びペアリング制御方法。
【請求項４】
前記キー入力は、
前記３Ｄメガネに設けられているキーに対する入力を含むことを特徴とする請求項２に記載の３Ｄメガネの電源及びペアリング制御方法。
【請求項５】
前記ペアリングを行うステップは、
ユーザの前記３Ｄメガネ着用を検知するステップと、
前記検知に応じて前記ディスプレイ装置とのペアリングを行うステップと
を含むことを特徴とする請求項１に記載の３Ｄメガネの電源及びペアリング制御方法。
【請求項６】
前記特定電源は、
前記３Ｄメガネのセンサ及びシャッターのうち、少なくともいずれか一方に対する電源を含むことを特徴とする請求項１に記載の３Ｄメガネの電源及びペアリング制御方法。
【請求項７】
前記制限は、
前記３Ｄメガネのセンシング部のインタラプトによる前記特定電源が供給されることを中断することを含むことを特徴とする請求項１に記載の３Ｄメガネの電源及びペアリング制御方法。
【請求項８】
３Ｄメガネの特定電源の供給を制限するステップと、
ディスプレイ装置とのペアリングを行うステップと、
前記ペアリングが行われていると判断されると、前記供給制限を解除するステップと
を含み、
前記ペアリングを行うステップは、
ペアリング要求信号を検知するステップと、
前記ペアリングが最初のペアリングである場合、前記ペアリング要求信号が第１時間の間検知され続ける際にペアリングを行い、前記ペアリングが再ペアリングである場合、前記ペアリング要求信号が第２時間の間検知され続ける際にペアリングを行うステップと、
を含み、
前記第１時間は、前記第２時間より短い、
ことを特徴とする３Ｄメガネの電源及びペアリング制御方法。
【請求項９】
３Ｄメガネの特定電源を供給する電源供給部と、
ディスプレイ装置とのペアリングを行う通信部と、
前記３Ｄメガネの特定電源の供給を制限している状態で、前記ディスプレイ装置とのペアリングが行われると、前記３Ｄメガネの特定電源の供給制限を解除するように制御する制御部と
を含み、
前記特定電源は、
前記３Ｄメガネの加速度センサ及びタッチセンサのうち、少なくともいずれか一方に対する電源を含む、
３Ｄメガネ。
【請求項１０】
ユーザのキー入力を検知するキー入力部を更に含み、
前記制御部は、
前記キー入力部の検知結果に応じて、前記ディスプレイ装置とのペアリングを行うように制御することを特徴とする請求項９に記載の３Ｄメガネ。
【請求項１１】
前記キー入力は、
電源キー入力及びペアリングキー入力のうち、少なくともいずれか一方を含むことを特徴とする請求項１０に記載の３Ｄメガネ。
【請求項１２】
前記キー入力は、
前記３Ｄメガネに設けられているキーに対する入力であることを特徴とする請求項１０に記載の３Ｄメガネ。
【請求項１３】
ユーザの前記３Ｄメガネ着用を検知するセンシング部を更に含み、
前記制御部は、
前記センシング部の検知結果に応じて前記ディスプレイ装置とのペアリングを行うように制御することを特徴とする請求項９に記載の３Ｄメガネ。
【請求項１４】
３Ｄメガネの特定電源を供給する電源供給部と、
ディスプレイ装置とのペアリングを行う通信部と、
前記３Ｄメガネの特定電源の供給を制限している状態で、前記ディスプレイ装置とのペアリングが行われると、前記３Ｄメガネの特定電源の供給制限を解除するように制御する制御部と
を含み、
前記ペアリングを行う通信部は、
ペアリング要求信号を検知し、
前記ペアリングが最初のペアリングである場合、前記ペアリング要求信号が第１時間の間検知され続ける際にペアリングを行い、前記ペアリングが再ペアリングである場合、前記ペアリング要求信号が第２時間の間検知され続ける際にペアリングを行い、かつ、
前記第１時間は、前記第２時間より短い、
ことを特徴とする３Ｄメガネ。
【発明の詳細な説明】
【技術分野】
【０００１】
本発明は、３Ｄメガネ及びその電源及びペアリング制御方法に関し、より詳細には、３Ｄディスプレイ装置と連動する３Ｄメガネ及びその電源及びペアリング制御方法に関する。
【背景技術】
【０００２】
最近、無線通信に関する技術分野の開発においては、低コスト及び省電力の無線装置又は無線リンクを用いた技術が関心を集めており、無線通信に関連する多様な技術が開発及び実現されている。ブルートゥース（Ｂｌｕｅｔｏｏｔｈ（登録商標））は近距離ラジオ技術に基づく無線通信方式として、２．４ＧＨｚ帯のＩＳＭ（Ｉｎｄｕｓｔｒｉａｌ、Ｓｃｉｅｎｔｉｆｉｃ、Ｍｅｄｉｃａｌ）周波数帯域で動作し、半径１０ｍの距離から最大１Ｍｂｐｓの速度で音声及びデータを伝送でき、消費電力が非常に少なく、その活用の範囲が急増する傾向にある。
【０００３】
特に、移動通信端末にブルートゥースモジュールが採択され使用される場合が多くみられ、ブルートゥースモジュールの含まれた移動通信端末と別のブルートゥース装置との間の通信のためには、ペアリングは必須である。ペアリングは、認証（Ａｕｔｈｅｎｔｉｃａｔｉｏｎ）や、ＰＩＮコード、暗号化（Ｅｎｃｒｙｐｔｉｏｎ）などの過程を通じて行なわれてよい。認証は、別のブルートゥース装置と連結するためのＰＩＮコード（パスキー）をやり取りするかについて設定する過程であり、ＰＩＮコードは、一種のパスワードと同様のものとして、ブルートゥース装置間にＰＩＮコードを同一にするための過程であり、暗号化は、ブルートゥース装置間でやり取りするデータを暗号化するための過程である。
【０００４】
一方、最近は、３Ｄディスプレイ装置と３Ｄメガネとの間の通信方式として、ブルートゥース方式を主に利用している。３Ｄメガネを用いて３Ｄ画面を視聴するためには、３Ｄディスプレイ装置とペアリング過程が行なわれるべきであるが、従来には、毎回３Ｄディスプレイ装置と３Ｄメガネとの間にペアリング過程を行わなければならないという問題がある。なお、３Ｄディスプレイ装置と３Ｄメガネとがペアリングされた場合、３Ｄメガネを用いていない状況でも、３Ｄメガネの電源を使うという問題があった。
【先行技術文献】
【特許文献】
【０００５】
【特許文献１】韓国特開第２０１１−００２３３２３号公報
【特許文献２】韓国特開第２０１１−００９５４８９号公報
【特許文献３】韓国特開第２０１１−００７５４９８号公報
【発明の概要】
【発明が解決しようとする課題】
【０００６】
そこで、本発明は、上記問題に鑑みてなされたものであり、本発明の目的とするところは、３Ｄディスプレイ装置と３Ｄメガネとの間にペアリングが行われていると判断されると、電源の供給が制限されている３Ｄメガネの電源供給を解除する３Ｄメガネ及びその電源及びペアリング制御方法を提供することにある。
【０００７】
なお、本発明のもう一つの目的は、３Ｄディスプレイ装置と３Ｄメガネとの間のペアリング実行の有無、ユーザの３Ｄメガネ着用センシングの有無及び３Ｄデータのスキャン結果に応じて、特定電源を制御する３Ｄメガネ及びその電源及びペアリング制御方法を提供することにある。
【課題を解決するための手段】
【０００８】
上述の目的を達成するための本発明の一実施形態に係る３Ｄメガネの電源及びペアリング制御方法は、３Ｄメガネの特定電源の供給を制限するステップと、ディスプレイ装置とのペアリングを行うステップと、前記ペアリングが行われていると判断されると、前記供給制限を解除するステップとを含む。
【０００９】
そして、前記ペアリングを行うステップは、ユーザのキー入力を検知するステップと、前記検知に応じて前記ディスプレイ装置とのペアリングを行うステップとを含んでよい。
【００１０】
なお、前記キー入力は、電源キー入力及びペアリングキー入力のうち、少なくともいずれか一方を含んでよい。
【００１１】
そして、前記キー入力は、前記３Ｄメガネに設けられているキーに対する入力を含んでよい。
【００１２】
なお、前記ペアリングを行うステップは、ユーザの前記３Ｄメガネ着用を検知するステップと、前記検知に応じて前記ディスプレイ装置とのペアリングを行うステップとを含んでよい。
【００１３】
そして、前記特定電源は、前記３Ｄメガネのセンサ及びシャッターのうち、少なくともいずれか一方に対する電源を含んでよい。
【００１４】
なお、前記特定電源は、前記３Ｄメガネの加速度センサ及びタッチセンサのうち、少なくともいずれか一方に対する電源を含んでよい。
【００１５】
そして、前記制限は、前記３Ｄメガネのセンシング部のインタラプトによる前記特定電源が供給されることを中断することを含んでよい。
【００１６】
なお、前記ペアリングを行うステップは、ペアリング要求信号を検知するステップと、前記ペアリングが最初のペアリングである場合、前記ペアリング要求信号が第１時間の間検知され続ける際にペアリングを行い、前記ペアリングが再ペアリングである場合、前記ペアリング要求信号が第２時間の間検知され続ける際にペアリングを行うステップとを含んでよい。
【００１７】
そして、前記第１時間は、前記第２時間より短くてよい。
【００１８】
一方、前記目的を達成するための本発明の一実施形態に係る３Ｄメガネの電源及びペアリング制御方法は、ディスプレイ装置とのペアリングを行うステップと、ユーザの３Ｄメガネ着用の有無をセンシングするステップと、３Ｄデータの入力の有無をスキャンするステップと、前記ペアリングと、センシング及びスキャン結果に応じて、前記３Ｄメガネの特定電源を制御するステップと含む。
【００１９】
なお、前記３Ｄデータは、前記ディスプレイ装置と３Ｄメガネの同期情報を含んでよい。
【００２０】
そして、前記センシングは、加速度センサ及びタッチセンサのうち、少なくともいずれか一つを使ってよい。
【００２１】
なお、前記特定電源は、前記３Ｄメガネの制御部と、センシング部及びシャッターオン／オフユユニットのうち、少なくともいずれか一つを含んでよい。
【００２２】
そして、前記特定電源を制御するステップは、特定時間の間に３Ｄデータがスキャンされていない場合、前記特定電源の供給が中断されるように制御してよい。
【００２３】
なお、前記特定電源を制御するステップは、前記センシング結果、ユーザの着用に対する検知が特定回数以上繰り返される場合、前記特定電源の供給が中断されるように制御してよい。
【００２４】
そして、前記センシングのためのセンサの駆動電圧が特定電圧以下である場合、ユーザにアラームを提供するステップを更に含んでよい。
【００２５】
なお、前記ペアリングを行うステップは、ペアリング要求信号を検知するステップと、前記ペアリングが最初のペアリングである場合、前記ペアリング要求信号が第１時間の間検知され続ける際にペアリングを行い、前記ペアリングが再ペアリングである場合、前記ペアリング要求信号が第２時間の間検知され続ける際にペアリングを行うステップとを含んでよい。
【００２６】
そして、前記第１時間は、前記第２時間より短くてよい。
【００２７】
一方、前記目的を達成するための本発明の一実施形態に係る３Ｄメガネは、特定電源を供給する電源供給部と、ディスプレイ装置とのペアリングを行う通信部と、前記３Ｄメガネの特定電源の供給を制限している状態で、前記ディスプレイ装置とのペアリングが行われると、前記３Ｄメガネの特定電源の供給制限を解除するように制御する制御部とを含む。
【００２８】
そして、ユーザのキー入力を検知するキー入力部を更に含み、前記制御部は、前記キー入力部の検知結果に応じて、前記ディスプレイ装置とのペアリングを行うように制御してよい。
【００２９】
なお、前記キー入力は、電源キー入力及びペアリングキー入力のうち、少なくともいずれか一方を含んでよい。
【００３０】
そして、前記キー入力は、前記３Ｄメガネに設けられているキーに対する入力であってよい。
【００３１】
なお、ユーザの前記３Ｄメガネ着用を検知するセンシング部を更に含み、前記制御部は、前記センシング部の検知結果に応じて前記ディスプレイ装置とのペアリングを行うように制御してよい。
【００３２】
そして、前記特定電源は、前記３Ｄメガネのセンサ及びシャッターのうち、少なくともいずれか一方に対する電源を含んでよい。
【００３３】
なお、前記特定電源は、前記３Ｄメガネの加速度センサ及びタッチセンサのうち、少なくともいずれか一方に対する電源を含んでよい。
【００３４】
そして、前記３Ｄメガネの特定電源の供給制限は、前記３Ｄメガネのセンサのインタラプトによって、前記特定電源が供給されることを中断することを含んでよい。
【００３５】
なお、前記制御部は、前記ペアリングが最初のペアリングである場合、ペアリング要求信号が第１時間の間検知され続ける際にペアリングを行い、前記ペアリングが再ペアリングである場合、前記ペアリング要求信号が第２時間の間検知され続ける際にペアリングを行うように制御してよい。
【００３６】
そして、前記第１時間は、前記第２時間より短くてよい。
【００３７】
一方、前記目的を達成するための本発明の一実施形態に係る３Ｄメガネは、特定電源を供給する電源供給部と、ディスプレイ装置とのペアリングを行う通信部と、ユーザの３Ｄメガネ着用の有無を検知するセンシング部と、前記通信部を介して３Ｄデータが入力されているか否かをスキャンし、前記ペアリングと、センシング及びスキャン結果に応じて、前記３Ｄメガネの特定電源を制御する制御部とを含む。
【００３８】
そして、前記３Ｄデータは、前記ディスプレイ装置と３Ｄメガネの同期情報を含んでよい。
【００３９】
なお、前記センシングは、加速度センサ及びタッチセンサのうち、少なくともいずれか一つを含んでよい。
【００４０】
そして、前記特定電源は、前記３Ｄメガネの制御部と、センシング部及びシャッターオン／オフユユニットのうち、少なくともいずれか一つを含んでよい。
【００４１】
なお、前記制御は、特定時間の間に前記３Ｄデータがスキャンされていない場合、前記特定電源の供給が中断されるように制御してよい。
【００４２】
そして、前記制御部は、前記センシング部のセンシング結果、ユーザの着用に対する検知が特定回数以上繰り返される場合、前記特定電源の供給が中断されるように制御してよい。
【００４３】
なお、前記センシングのためのセンサの駆動電圧が特定電圧以下である場合、ユーザにアラームを提供するアラーム部を更に含んでよい。
【００４４】
そして、前記制御部は、前記ペアリングが最初のペアリングである場合、ペアリング要求信号が第１時間の間検知され続ける際にペアリングを行い、前記ペアリングが再ペアリングである場合、前記ペアリング要求信号が第２時間の間検知され続ける際にペアリングを行うように制御してよい。
【００４５】
そして、前記第１時間は、前記第２時間より短くてよい。
【発明の効果】
【００４６】
上述のような本発明の多様な実施形態よって、ユーザは容易に３Ｄメガネと３Ｄディスプレイ装置のペアリングを行うことができ、不要な３Ｄメガネの電源の無駄遣いを防ぐことができるようになる。
【図面の簡単な説明】
【００４７】
【図１】本発明の一実施形態に係る３Ｄ映像提供システムに対する図である。
【図２】本発明の一実施形態に係る３Ｄメガネのブロック図を示す図である。
【図３】本発明の一実施形態に係る３Ｄメガネに設けられているキー入力部を示す図である。
【図４】本発明の一実施形態に係る３Ｄメガネのセンシング部を示す図である。
【図５】本発明の一実施形態に係る３Ｄメガネのペアリング及び電源を制御する方法を説明するためのフローチャートである。
【発明を実施するための形態】
【００４８】
以下に添付図面を参照しながら、本発明の好適な実施形態について詳細に説明する。
【００４９】
図１は、本発明の一実施形態に係る３Ｄ映像提供システムに対する図である。図１に示すように、３Ｄ映像提供システム１００は、３Ｄ映像を画面に表示するための３Ｄディスプレイ装置１１０と、３Ｄ映像を視聴するための３Ｄメガネ１２０とで構成される。
【００５０】
３Ｄディスプレイ装置１１０は、カメラなどの撮影装置から受信された３Ｄ映像、又はカメラによって撮影されて放送局において編集／加工されてから、放送局から送出された３Ｄ映像を受信し、受信された３Ｄ映像を処理した後、それを画面に表示する。特に、３Ｄディスプレイ装置１１０は、３Ｄ映像のフォーマットを参照し、左眼映像と右眼映像とを加工し、加工された左眼映像と右眼映像とが時分割されて交互にディスプレイされるようにする。
【００５１】
更に、３Ｄディスプレイ装置１１０は、左眼映像と右眼映像とが時分割されてディスプレイされるタイミングと同期する同期信号を生成し、３Ｄメガネ１２０に伝達する。ここで、同期信号は、複数個のパルスが３Ｄディスプレイ装置１１０の垂直同期信号（Ｖｓｙｎｃ）ごとに周期的に生じるため、生成される。
【００５２】
このとき、３Ｄディスプレイ装置１１０は、３Ｄテレビや、３Ｄプロジェクション、３Ｄモニタなどで実現できてよい。
【００５３】
３Ｄメガネ１２０は、３Ｄディスプレイ装置１１０から受信された同期信号に応じて左眼グラスと右眼グラスとを交互に開閉し、ユーザが左眼と右眼を通じて左眼映像及び右眼映像をそれぞれ視聴できるようにする。
【００５４】
特に、３Ｄメガネ１２０は、未開封状態、即ち、特定電源の供給が制限されている状態で、ユーザのキー入力又はユーザの着用を検知して３Ｄディスプレイ装置１１０とのペアリングを行う。３Ｄディスプレイ装置１１０とのペアリングが行われると、３Ｄメガネ１２０は特定電源を供給制限を解除し、３Ｄメガネの特定電源に電源を供給する。
【００５５】
なお、３Ｄメガネ１２０は、開封の後、ペアリング実行の有無と、ユーザの着用センシングの有無及び３Ｄデータ受信スキャンの有無に応じて、３Ｄメガネ１２０の特定電源供給を制限する。
【００５６】
以下では、図３を参照しながら、本発明の一実施形態に係る３Ｄメガネ１２０について説明する。図３に示すように、本発明の一実施形態に係る３Ｄメガネ１２０は、キー入力部１２１と、センシング部１２２と、制御部１２３と、シャッターオン／オフユニット１２４と、電源供給部１２５及び通信部１２６を含む。
【００５７】
キー入力部１２１は、３Ｄメガネ１２０の電源供給命令を受信する電源キー入力部、及び、３Ｄメガネ１２０と３Ｄディスプレイ装置１１０とのペアリング実行命令を受信するペアリングキー入力部を含む。このとき、電源キー入力部及びペアリングキー入力部は、３Ｄメガネ１２０に位置するボタンの形式で実現されてよい。具体的に、図３に示すように、電源キー入力部３１１及びペアリングキー入力部３１２は、３Ｄメガネ１２０のフレーム部分に位置してよい。
【００５８】
特に、電源キー入力部３１１が選択されると、３Ｄメガネ１２０は３Ｄメガネ１２０の各構成に電源を供給するように制御する。なお、未開封の３Ｄメガネ１２０で最初に電源キー入力部が選択されると、３Ｄメガネ１２０は、３Ｄメガネ１２０の各構成に電源を供給するだけでなく、３Ｄメガネ１２０と３Ｄメガネ１２０の周囲の３Ｄディスプレイ装置１１０とのペアリングを行ってよい。
【００５９】
なお、ペアリングキー入力部３１２が選択されると、３Ｄメガネ１２０はペアリング要求信号を検知し、３Ｄメガネ１２０と３Ｄディスプレイ装置１１０とのペアリングを行う。特に、未開封の３Ｄメガネ１２０で最初にペアリングキー入力３１２が選択されると、ペアリングキー入力部３１２はペアリング要求信号を生成し、制御部１２３はペアリング要求信号を検知し、３Ｄメガネ１２０と３Ｄメガネ１２０の周囲の３Ｄディスプレイ装置１１０とのペアリングを行う。
【００６０】
なお、ユーザが従来の３Ｄディスプレイ装置ではなく、新しい３Ｄディスプレイ装置との再ペアリングを望む場合、ペアリングキー入力部３１２を選択することにより、新しい３Ｄディスプレイ装置１１０とのペアリングを行うことができる。
【００６１】
このとき、未開封の状態、即ち、最初のペアリングである場合、３Ｄディスプレイ装置１１０とペアリングを行う際は、ペアリングキー入力部３１２が第１時間の間押し続けられると、制御部１２３は第１時間の間ペアリング要求信号を検知し、３Ｄメガネ１２０と３Ｄディスプレイ装置１１０とのペアリングを行う。なお、新しい３Ｄディスプレイ装置と再ペアリングを行う場合、ペアリングキー入力部３１２が第２時間の間押し続けられると、制御部１２３は第２時間の間ペアリング要求信号を検知し、３Ｄメガネ１２０と３Ｄディスプレイ装置１１０とのペアリングを行う。このとき、第１時間は第２時間より短くてよい。
【００６２】
しかし、これは一実施形態に過ぎず、未開封の状態で３Ｄディスプレイ装置１１０と最初のペアリングを行い際は、ペアリングキー入力部３１２を一回押し、新しい３Ｄディスプレイ装置１１０と再ペアリングを行う際は、ペアリングキー入力部３１２を連続して２回押す実施形態にも本発明の技術的な思想が適用されてよい。
【００６３】
センシング部１２２は、ユーザの３Ｄメガネ１２０着用の有無を検知する。このとき、センシング部１２２は、加速度センサ或いはタッチセンサ、又は両方とも用いて実現されてよい。しかし、それは一実施形態に過ぎず、別のセンサを用いてユーザの３Ｄメガネ１２０着用の有無を検知することができる。
【００６４】
特に、図４に示すように、タッチセンサ４１１、４１２は、３Ｄメガネ１２０のフレームとユーザの耳が触れる部分に位置してよい。しかし、それは、一実施形態に過ぎず、別の位置にタッチセンサを設けてユーザの３Ｄメガネ１２０着用の有無を検知することができる。
【００６５】
シャッターオン／オフユニット１２４は、制御部１２３から生成された制御信号に応じてシャッターを駆動する。特に、シャッターオン／オフユニット１２４は左眼シャッターと右眼シャッターとで構成され、３Ｄディスプレイ装置１１０から受信された同期信号に基づいて生成された制御信号に応じて左眼シャッターと右眼シャッターを交互にオン／オフする。
【００６６】
電源供給部１２５は、制御部１２３の制御により３Ｄメガネ１２０の構成に電源を供給する。特に、電源供給部１２５は３Ｄディスプレイ装置１１０とのペアリング実行の有無、ユーザの３Ｄメガネ１２０着用の有無及び３Ｄデータスキャンの有無に応じて特定構成に対して電源を供給したり、電源の供給を制限する。
【００６７】
通信部１２６は、外部３Ｄディスプレイ装置１１０との通信を行う。特に、通信部１２６は、３Ｄディスプレイ装置１１０との通信のためにペアリングを行う。具体的に、ペアリングは、認証（Ａｕｔｈｅｎｔｉｃａｔｉｏｎ）や、ＰＩＮコード、暗号化（Ｅｎｃｒｙｐｔｉｏｎ）などの過程を通じて行なわれてよい。認証は、別のブルートゥース装置と連結するためのＰＩＮコード（パスキー）をやり取りするかについて設定する過程であり、ＰＩＮコードは、一種のパスワードと同様のものとして、ブルートゥース装置間にＰＩＮコードを同一にするための過程であり、暗号化は、ブルートゥース装置間でやり取りするデータを暗号化するための過程である。このとき、通信部１２６は、ブルートゥースモジュールで行われてよい。しかし、それは一実施形態に過ぎず、別の通信モジュールによって３Ｄディスプレイ装置１１０とペアリングを行ってよい。
【００６８】
３Ｄディスプレイ装置１１０とのペアリングが行われると、通信部１２６は３Ｄディスプレイ装置１１０から３Ｄデータを受信する。このとき、３Ｄデータとは、３Ｄディスプレイ装置１１０と３Ｄメガネ１２０の同期情報を含んでよい。
【００６９】
制御部１２３は、ユーザキー入力部１２１及びセンシング部１２２を介してのユーザの入力によって３Ｄメガネ１２０全般を制御する。
【００７０】
特に、制御部１２３は、未開封状態（即ち、電源供給が制限されている状態）で、キー入力部のユーザ入力の有無に応じて３Ｄディスプレイ装置１１０とのペアリングを行う。具体的に、電源キー入力部３１１又はペアリングキー入力部３１２が選択されると、制御部１２３は３Ｄディスプレイ装置１１０とペアリングを試みる。
【００７１】
そして、３Ｄディスプレイ装置１１０とペアリングが行われると、制御部１２３は３Ｄメガネ１２０の特定電源の供給制限を解除する。具体的に、３Ｄディスプレイ装置１１０とペアリングが行われると、制御部１２３は３Ｄメガネ１２０のセンシング部１２２の電源供給制限を解除し、センシング部１２２に電源を供給する。
【００７２】
センシング部１２２の電源が供給されると、制御部１２３はセンシング部１２２によってユーザの３Ｄメガネ１２０の着用の有無を検知し、３Ｄメガネ１２０の電源供給を制御する。具体的に、センシング部１２２を介してユーザが３Ｄメガネ１２０を着用していることが検知できてない場合、制御部１２３は３Ｄメガネ１２０の電源供給を再び中断する。
【００７３】
なお、ユーザの着用に対する検知が特定回数以上繰り返される場合、制御部１２３は３Ｄメガネ１２０の特定電源の供給を再び中断することができる。
【００７４】
センシング部１２２によってユーザ着用の有無が検知されると、制御部１２３は通信部１２６を介して３Ｄデータ、即ち、同期信号が受信されたか否かをスキャンする。そして、３Ｄデータがスキャンされると、制御部１２３は３Ｄディスプレイ装置１１０から出力される３Ｄ映像を使用するために、シャッターオン／オフユニット１２４を駆動する。
【００７５】
しかし、特定時間の間３Ｄデータがスキャンされてなければ、制御部１２３は再び３Ｄメガネ１２０の特定電源供給を中断する。このとき、特定時間とは、ユーザがユーザ説明書を通じてリモコン操作時に予想される時間として、約５分に設定されてよい。しかし、それは、一実施形態に過ぎず、ユーザによって直接設定されてよい。
【００７６】
なお、制御部１２３は、３Ｄメガネ１２０のセンシング部１２２のインタラプトによって、３Ｄメガネ１２０の電源供給を制限することができる。具体的に、３Ｄメガネ１２０の保管時に外部から特定値以上の外部振動が発生すると、制御部１２３は３Ｄメガネ１２０の構成に電源を供給する。そして、３Ｄデータがスキャンされた場合、制御部１２３はシャッターオン／オフユニット１２４に電源を供給する。しかし、特定時間（例えば、１０秒）の間、３Ｄデータがスキャンされていない場合、制御部１２３は再び外部振動の有無を判断する。そして、特定値以上の外部振動が再び発生すると、制御部１２３は３Ｄデータスキャンの有無を再び判断する。そして、制御部１２３は、外部振動発生の有無判断及び３Ｄデータ入力の有無を特定回数の間繰り返して判断し、特定回数の間、外部振動発生及び３Ｄデータ入力が存在すると判断されると、シャッターオン／オフユニット１２４に電源を供給し、存在しない場合は、３Ｄメガネ１２０の電源供給を中断する。
【００７７】
しかし、本発明の一実施形態は、上述の例に限定されず、別のセンシング部１２２のインタラプトによって、３Ｄメガネ１２０の電源供給を制限することができる。例えば、保管時に外部メタルが接近する場合、制御部１２３は外部メタルが接近しているか否か及び３Ｄデータ入力の有無を繰り返し判断して３Ｄメガネ１２０の電源供給を制限してよい。
【００７８】
なお、制御部１２３は、３Ｄメガネ１２０が最初にペアリングされた後、再ペアリングを行う際、ペアリングキー入力３１２の有無を通じてペアリングを行ってよい。但し、制御部１２３は、ペアリングが最初のペアリングである場合、ペアリング要求信号が第１時間の間、検知され続ける際にペアリングを行い、ペアリングが再ペアリングである場合、ペアリング要求信号が第２時間の間、検知され続ける際にペアリングを行うことができるように制御する。このとき、第１時間は第２時間より短くてよい。
【００７９】
更に、制御部１２３は、センシング部１２２によってユーザが３Ｄメガネ１２０を着用していると検知する場合にも、自動で３Ｄディスプレイ装置１１０とのペアリングを行うことができる。
【００８０】
なお、制御部１２３はセンシングのためのセンシング部の駆動電圧が特定電圧以下である場合、ユーザにアラームを提供することができる。それは、３Ｄメガネ１２０のバッテリが放電した場合、バッテリの充電或いは交換を報知するためである。このとき、アラームは聴覚的なビープ音で実現されてよく、視覚的な報知表示で実現されてよい。又は、３Ｄディスプレイ装置１１０にバッテリ放電情報を送信し、３Ｄディスプレイ装置１１０を介してバッテリ放電情報をディスプレイするようにできる。
【００８１】
上述のような３Ｄメガネを通じてユーザは容易に３Ｄメガネ１２０と３Ｄディスプレイ装置１１０とのペアリングを行うことができ、不要な３Ｄメガネ１２０の電源の無駄遣いを防ぐことができるようになる。
【００８２】
以下では、図５を参照しながら、３Ｄメガネ１２０の電源及びペアリング制御方法について説明する。
【００８３】
図５は、本発明の一実施形態に係る３Ｄメガネ１２０の電源及びペアリング制御方法を説明するためのフローチャートである。
【００８４】
まず、３Ｄメガネ１２０は未開封の状態であるため、電源供給を制限する（Ｓ５１０）。そして、３Ｄメガネ１２０はユーザのキー入力部１２１を介してのキー入力の有無を検知する（Ｓ５２０）。このとき、キー入力部１２１は電源キー入力部３１１又はペアリングキー入力部３１２であってよい。
【００８５】
ユーザのキー入力が検知されると（Ｓ５２０−Ｙ）、３Ｄメガネ１２０は３Ｄディスプレイ装置１１０とのペアリングを行う（Ｓ５３０）。このとき、３Ｄディスプレイ装置１１０と特定時間の間、ペアリングが行われていない場合（Ｓ５４０−Ｎ）、３Ｄメガネ１２０は特定電源の供給制限状態を維持する（Ｓ５９０）。
【００８６】
しかし、３Ｄディスプレイ装置１１０とのペアリングが行われると（Ｓ５４０−Ｙ）、３Ｄメガネ１２０は３Ｄメガネ１２０の特定電源供給の制限を解除する（Ｓ５５０）。具体的に、３Ｄメガネ１２０は、３Ｄメガネ１２０のセンシング部１２２と、制御部１２３及びシャッターオン／オフユニット１２４のうち、少なくともいずれか一つに電源を供給する。
【００８７】
そして、３Ｄメガネ１２０は、センシング部１２２によってユーザが３Ｄメガネ１２０を着用しているか否かを検知する（Ｓ５６０）。３Ｄメガネ１２０が特定時間の間、着用されていないと判断されると（Ｓ５６０−Ｎ）、３Ｄメガネ１２０は３Ｄメガネ１２０の特定電源の供給を再び制限する（Ｓ５９０）。
【００８８】
しかし、３Ｄメガネ１２０が着用されていると判断すると（Ｓ５６０−Ｙ）、３Ｄメガネ１２０は通信部１２６を介して３Ｄデータが入力されているか否かをスキャンする（Ｓ５７０）。特定時間の間３Ｄデータが入力されていないと判断すると（Ｓ５７０−Ｎ）、３Ｄメガネ１２０は３Ｄメガネ１２０の特定電源の供給を再び制限する（Ｓ５９０）。
【００８９】
しかし、３Ｄディスプレイ装置１１０から３Ｄデータが入力されていると判断されると（Ｓ５７０−Ｙ）、３Ｄメガネ１２０はシャッターをオン／オフする（Ｓ５８０）。即ち、３Ｄメガネ１２０は、３Ｄディスプレイ装置１１０から出力される３Ｄ映像を視聴するために、シャッターオン／オフユニット１２４に電源を供給し、シャッターオン／オフユニット１２４を駆動する。
【００９０】
上述の方法により、ユーザは容易に３Ｄメガネ１２０と３Ｄディスプレイ装置１１０とのペアリングを行うことができ、不要な３Ｄメガネ１２０の電源の無駄遣いを防ぐことができるようになる。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
0006016372.tif 000002
【図２】
0006016372.tif 000003
【図３】
0006016372.tif 000004
【図４】
0006016372.tif 000005
【図５】
0006016372.tif 000006